(57)【要約】【課題】タッチセンサ素子に与えるノイズや信号遅れの影響を低減した冷蔵庫を提供することを目的とする。【解決手段】冷蔵庫本体１の貯蔵室１ａと、貯蔵室１ａの貯蔵室扉２ａと、貯蔵室扉２ａの前方の透光性を有する扉前面板６と、扉前面板６の後方の制御基板１５と、を備え、制御基板１５は、扉前面板６の後面に接触又は近接して設けられたスイッチ電極１４と、スイッチ電極１４の静電容量の変化を検出するタッチセンサ素子３３と、タッチセンサ素子３３とスイッチ電極１４の間にノイズ保護用抵抗３１と、を備え、タッチセンサ素子３３からノイズ保護用抵抗３１の一部を含む範囲内で制御基板１５にパターンシールド３５を設ける。【選択図】図８
2014137147.tif 000002
【特許請求の範囲】
【請求項１】
冷蔵庫本体の貯蔵室と、
前記貯蔵室の貯蔵室扉と、
前記貯蔵室扉の前方の透光性を有する扉前面板と、
前記扉前面板の後方の制御基板と、を備え、
前記制御基板は、
前記扉前面板の後面に接触又は近接して設けられたスイッチ電極と、
前記スイッチ電極の静電容量の変化を検出するタッチセンサ素子と、
前記タッチセンサ素子と前記スイッチ電極の間にノイズ保護用抵抗と、を備え、
前記タッチセンサ素子から前記ノイズ保護用抵抗の一部を含む範囲内で前記制御基板にパターンシールドを設けたことを特徴とする冷蔵庫。
【請求項２】
前記タッチセンサ素子と前記ノイズ保護用抵抗との間にテスト端子を備え、該テスト端子を含む前記タッチセンサ素子から前記ノイズ保護用抵抗の一部を含む範囲内で前記パターンシールドを設けたことを特徴とする、請求項１記載の冷蔵庫。
【請求項３】
前記制御基板の表面に前記スイッチ電極、前記制御基板の裏面に前記タッチセンサ素子及び前記ノイズ保護用抵抗を設けたことを特徴とする、請求項１記載の冷蔵庫。
【発明の詳細な説明】
【技術分野】
【０００１】
本発明は冷蔵庫に関する。
【背景技術】
【０００２】
本技術分野の背景技術として、特開２０１２−２１６９６号公報（特許文献１）がある。この公報の要約欄には、「冷蔵庫本体に設けられた貯蔵室と、該貯蔵室の前方開口を開閉する貯蔵室扉と、該貯蔵室扉の前面に平面状に設けられた操作部と、該操作部の後方に接触又は近接して設けられた静電容量式のスイッチ電極と、該スイッチ電極の静電容量の変化を検出するタッチセンサ素子と、前記スイッチ電極と前記タッチセンサ素子とをつなぐ配線と、を備え、前記配線は前記スイッチ電極の操作時の手指の投影位置を避けて配置したことを特徴とする。」と記載されている。
【先行技術文献】
【特許文献】
【０００３】
【特許文献１】特開２０１２−２１６９６号公報
【発明の概要】
【発明が解決しようとする課題】
【０００４】
しかし、信号ノイズや信号遅れ等から電子部品を保護するためのパターンシールドを基板に施した場合、基板上のタッチセンサ素子とパターンシールドの距離が近くなり、スイッチ電極とパターンシールドとの間に電位差が生じて、寄生容量（コンデンサー）ができる可能性が高くなる。そして、電荷が蓄積された回路は、回路を発振させる帰還路として働き、上記信号ノイズ或いは信号遅れ等を引き起す原因となる。
【０００５】
また、パターンシールドをノイズ保護用抵抗やタッチセンサ素子を搭載した基板に施した場合、ノイズ保護用抵抗と基板との間、すなわちパターンシールドを施していない部分で電磁ノイズを拾い易くなり、タッチセンサ素子が信号ノイズ或いは信号遅れを引き起す原因となる。特許文献１では、これらの点について十分な考慮がされていない。
【０００６】
そこで、本発明は、タッチセンサ素子に与えるノイズや信号遅れの影響を低減した冷蔵庫を提供することを目的とする。
【課題を解決するための手段】
【０００７】
本発明は上記課題を解決するためになされたものであり、特許請求の範囲に記載した構成を含むが、その一例として、冷蔵庫本体の貯蔵室と、前記貯蔵室の貯蔵室扉と、前記貯蔵室扉の前方の透光性を有する扉前面板と、前記扉前面板の後方の制御基板と、を備え、前記制御基板は、前記扉前面板の後面に接触又は近接して設けられたスイッチ電極と、前記スイッチ電極の静電容量の変化を検出するタッチセンサ素子と、前記タッチセンサ素子と前記スイッチ電極の間にノイズ保護用抵抗と、を備え、前記タッチセンサ素子から前記ノイズ保護用抵抗の一部を含む範囲内で前記制御基板にパターンシールドを設けたことを特徴とする。
【発明の効果】
【０００８】
本発明によれば、タッチセンサ素子に与えるノイズや信号遅れの影響を低減した冷蔵庫を提供することができる。
【図面の簡単な説明】
【０００９】
【図１】本発明の実施の形態に係る冷蔵庫の正面図である。
【図２ａ】図１のＰ１部の斜視図である。
【図２ｂ】図２ａの表示部及び操作部の正面図である。
【図３】図１に示す扉のＡ−Ａ断面拡大図である。
【図４】本発明の実施の形態に係る基板組品の分解斜視図である。
【図５】図４の基板組品のＢ−Ｂ断面図である。
【図６】図４のＰ２部の拡大図である。
【図７】図６のＣ−Ｃ断面図である。
【図８】図１に示す冷蔵庫の基板操作を模式的に表した図である。
【発明を実施するための形態】
【００１０】
以下、本発明の実施の形態について、図面を参照しながら説明する。
【００１１】
まず、図１から図４を用いて、本実施形態の冷蔵庫について説明する。図１は、本発明の実施の形態に係る冷蔵庫の正面図である。図２ａは、図１のＰ１部の斜視図である。図２ｂは、図２ａの表示部及び操作部の正面図である。図３は、図１に示す扉のＡ−Ａ断面拡大図である。図４は、本発明の実施の形態に係る基板組品の分解斜視図である。
【００１２】
図１において、１は冷蔵庫本体である。この冷蔵庫本体１は、上部に冷蔵室１ａ、下部に冷凍室１ｂを有している。
【００１３】
また、各貯蔵室の前方開口には、該前方開口を開閉する扉が設けられている。即ち、冷蔵室１ａの前方開口には、左冷蔵室扉２ａ及び右冷蔵室扉２ｂが設けられ、冷凍室１ｂの前方開口には、冷凍室扉４が設けられている、
左冷蔵室扉２ａ及び右冷蔵室扉２ｂは、夫々冷蔵庫本体１の上部に設けられた上ヒンジ３（左ヒンジ３ａ、右ヒンジ３ｂ）等によって、回転自在に軸支されている。また、冷凍室扉４は引出し式の扉であって、貯蔵室の容器とともに引出し自在である。そして、左冷蔵室扉２ａ及び右冷蔵室扉２ｂ、冷凍室扉４は、その外表面に扉前面板６が設けられている。扉前面板６は、光透過性を有するガラス板６ａで構成されている。なお、ガラス板６に限らず、光透過性を有する樹脂板で構成してもよく、この場合、冷蔵庫本体１の軽量化を図ることができる。
【００１４】
なお、各貯蔵室のレイアウトはこれに限定されない。例えば、冷凍室の下方に冷蔵室を設ける構成、貯蔵室を３以上とする構成、貯蔵室を左右に並べる構成等、あらゆる公知のレイアウトが適用可能である。また、引出し式の扉と回転式の扉は、いずれの貯蔵室のいずれのレイアウトでも適用可能である。
【００１５】
図３に示すように、扉前面板６と扉内板８との間に発泡断熱材７が充填発泡される。また、扉前面板６と基板収納部材１８との間には、第一の基板１５，第二の基板２０が収納される空間が形成されており、この空間には発泡断熱材７は充填されていない。扉前面板６であるガラス板６ａの板厚は、本実施例では２．０ｍｍから３．５ｍｍである。この板厚は、冷蔵庫組み立て時、冷蔵庫移送時、及び冷蔵庫使用時等に生じる外力による衝撃によってガラス板６ａが割れたり、亀裂が生じたりしない強度を考慮した寸法である。
【００１６】
なお、発泡断熱材７は、保護フィルム１９ａを介して扉前面板６の裏面に密着することで、左冷蔵室扉２ａを構成する扉前面板６及び扉内板８と結合している。
【００１７】
また、更に強度を確保する場合や板厚を薄くする場合等には、ガラス板６ａに熱強化処理や、化学強化処理等を施してもよい。尚、ガラス板６ａは絶縁体である。
【００１８】
次に、図１及び図２ａにおいて、９は扉前面板６の表面上の操作部である。操作部９は、使用者が外部から操作することで、冷蔵室１ａ及び冷凍室１ｂ等の各貯蔵室の冷却温度を設定したり、冷蔵室１ａや冷凍室１ｂを急速に冷却したり、製氷の大きさを設定したりする。すなわち、扉前面板６の操作部９を使用者が操作することで、冷蔵庫の諸機能の設定ができる。
【００１９】
また、１０は扉前面板６の運転情報表示部である。運転情報表示部１０は、操作部９からの入力結果や冷蔵庫の運転状態等を冷蔵庫本体１の外部に表示する。これにより、使用者が操作部９で行った操作を確認したり、既に設定されている諸機能の状態を確認したりすることができる。
【００２０】
操作部９及び運転情報表示部１０は、特別なパネルを外部に取り付けたものではなく、扉前面板６そのものである。すなわち、本実施形態において左冷蔵室扉２ａの扉前面板６は、操作部９及び運転情報表示部１０を含めて、左冷蔵室扉２ａの外表面全体に亘って平面になるように設けられている。
【００２１】
換言すると、操作部９及び運転情報表示部１０は、ガラス板６ａである扉前面板６に直接構成されている。このため、従来のように、機械式スイッチ、表示装置及び意匠部材等で構成される前面に突出した操作パネルは省略されている。
【００２２】
また、扉前面板６の裏面は、図３に示すように、少なくとも操作部９及び運転情報表示部１０を除き、有色塗料層１９が設けられている。換言すると、少なくとも操作部９及び運転情報表示部１０を囲んで窓枠状に有色塗料層１９が設けられている。これにより、発泡断熱材７や真空断熱材が左冷蔵室扉２ａの正面側より見えないように処理されて、且つ操作部９及び運転情報表示部１０は明確に視認されるので、外観性の優れた扉を構成している。
【００２３】
なお、運転情報表示部１０を含んで扉前面板６の裏面のほぼ全体に亘って有色塗料層１９を設ける構成であってもよい。この場合、使用者が非操作時には、操作部９及び運転情報表示部１０が有色塗料層１９で隠れるようにして、使用者が操作時には、操作部９及び運転情報表示部１０が有色塗料層１９の裏面から浮かび上がるように後方から照明手段２７ａ、２７ｂ（詳細は後述）で照射する構成とする。
【００２４】
次に、図２ｂ、図４を参照しながら、操作部９及び運転情報表示部１０について、更に詳細に説明する。図４は、本発明の実施の形態に係る基板組品の分解斜視図である。
【００２５】
図２ｂ，図４において、操作部９に対応する文字や記号等の操作表示部１６ａ、運転情報表示部１０及び運転情報表示部２９（インジケータ表示部）に対応する文字や数字、記号等のセグメント表示部１６ｂ，１６ｃは、後述するシート部材１６上に構成している。シート部材１６は、樹脂フィルムや樹脂板に、操作表示部１６ａやセグメント表示部１６ｂ，１６ｃを塗装や印刷をしたり、表現したい文字や数字、記号等を模るように機械加工で開口させたりして構成する。
【００２６】
換言すると、操作部９は、操作表示部１６ａが配置されたシート部材１６に対向する位置の前面（扉前面板６であるガラス板６ａの前面）である。また、運転情報表示部１０，２９は、セグメント表示部１６ｂ，１６ｃが印刷されたシート部材１６に対向する位置の前面（扉前面板６であるガラス板６ａの前面）である。
【００２７】
なお、ガラス板６ａの裏面に操作用表示（上記文字部分）を設ける構成であってもよく、この場合ガラス板６ａの裏面に直接印刷する他、エッチングや象嵌等がある。
【００２８】
次に、図２ｂにおいて、運転情報表示部１０，２９をさらに説明する。運転情報表示部１０，２９は、操作部９の操作入力に伴い、諸機能の設定状態や運転状態を示す構成である。具体的に、セグメント表示部１６ｂは、８の字状に配置された７つのセグメントの点灯・消灯の組合せによって数字を表現する構成である。図２ｂの左側の運転情報表示部１０では冷凍室１ａの温度、右側の運転情報表示部１０では冷蔵室１ｂの温度をそれぞれ表示する。また、中央寄りの運転情報表示部２９（インジケータ表示部）に対応するセグメント表示部１６ｃは、圧縮機の回転数を、円弧状に複数に分割されたセグメントの点灯数の多寡によって、回転速度計（タコメーター）のように表現する。
【００２９】
なお、セグメント表示部１６ｂ，１６ｃは、必ずしも複数のセグメントに分割された構成でなくてもよく、例えば、単一のセグメントや液晶ディスプレイによってそれぞれ構成してもよい。
【００３０】
シート部材１６は、扉前面板６であるガラス板６ａの裏面に、密着或いは隙間がごく僅かとなるように配置されている。そのため、操作表示部１６ａ、セグメント表示部１６ｂ，１６ｃを後方から照射した際、ガラス板６ａを裏面から前面まで透過して、左冷蔵室扉２ａの正面から確認することができる。すなわち、視認性が高く、且つ平面なガラス板で外表面が構成された、外観性の優れた扉を構成している。
【００３１】
また、操作部９及び運転情報表示部１０，２９は、図２に示すように、上部に運転情報表示部１０，２９、下部に操作部９がそれぞれ横長に配置されている。なお、運転情報表示部１０，２９と操作部９を左右に並べて縦長に配置する構成であってもよい。
【００３２】
操作部９には、冷蔵庫本体１の機能として「冷蔵室温度調節」、「急冷蔵運転」、「チャイルドロック」の他、「省電力運転」、「急冷凍運転」、「冷凍室温度調節」が表示される。
【００３３】
更に、操作部９及び運転情報表示部１０，２９は、後述する基板（第一の基板１５、第二の基板２０）上の照明手段であるＬＥＤ２７ａ，２７ｂ（発光ダイオード）等により後方から照明されて、ガラス板６ａ前面まで投光して、浮き上がって見えるように構成されている。
【００３４】
次に、図３において、１２は基板組品である。この基板組品１２は、操作部９の操作を検知する検出部１４、いわゆる、静電容量を検知するタッチセンサと、検出部１４からの入力を制御する第一の基板１５、及び貯蔵室の温度等を表示する運転情報表示部１０の切り替えや点灯／消灯を制御する第二の基板２０を組み込んだものである。
【００３５】
この基板組品１２は、発泡断熱材７若しくは真空断熱材（図示せず）と扉前面板６との間に設けられた基板収納部材１８内に着脱自在に装着されている。
【００３６】
上記のように、本実施例は、静電容量の変化を検出する検出部１４（スイッチ電極）、判定部（タッチセンサ）、及びマイコンを含む自動制御部（図示せず）を備えた第一の基板１５と、検出部１４の検出結果や、冷蔵室１ａ、冷凍室１ｂの温度、圧縮機の運転状態を表示する第二の基板２０とが、別体で設けられている。
【００３７】
図３，図４に示すように、第一の基板１５と第二の基板２０は、基板支持部材１７に組み込まれた状態で基板組品１２を構成している。具体的に、基板支持部材１７の表面（扉前面板６の後方側）に第一の基板１５、基板支持部材１７の裏側（基板収納部材１８の後方側）に第二の基板２０がそれぞれ設けられている。
【００３８】
また、第一の基板１５は、前方の面（扉前面板６側）がシート部材１６で覆われて、後方の面（扉前面板６と反対側）が基板支持部材１７で覆われる。また、第二の基板２０は、前方の面（扉前面板６側）がシート部材１６で覆われて、さらに基板支持部材１７で覆われており、後方の面は露出しているか他の部材で覆われる。
【００３９】
シート部材１６は、第一の基板１５の表面又は裏面に配置されたスイッチ電極を含む検出部１４に密着又は近接するように構成している。また、第一の基板１５の後方の面（基板支持部材１７の前面に対向する面）には、複数のＬＥＤ２７ａが配置されている。ＬＥＤ２７ａが発光すると、光は後方に照射されて、ＬＥＤ２７ａと基板支持部材１７との間に設けた導光部材３０内を屈折或いは拡散する。そして、第一の基板１５に形成された検出部１４周囲と第一の基板１５との隙間を、導光部材３０を介して後方から前方に進んだ後、ガラス板６ａの裏面から前面に向かい、シート部材１６を介して前方から光が視認可能になる。これにより、ガラス板６ａ上の操作部９の位置に所定の文字や記号が浮び上って見える。なお、導光部材３０は、投光性を有する樹脂で形成している。
【００４０】
次に、第二の基板２０の前面には、照明手段であるＬＥＤ２７ｂが複数配置される。また、第二の基板２０の前面には基板支持部材１７が位置しているが、ＬＥＤ２７ｂの前面部分はＬＥＤ２７ｂの光を透過させるための開口１７ｅが形成されている。すなわち、基板支持部材１７には、複数のＬＥＤ２７ｂのそれぞれに対応して、複数の開口１７ｅが形成されている。そして、ＬＥＤ２７ｂが点灯して、いずれかの開口１７ｅを通過した光は、シート部材１６のセグメント表示部１６ｂ、１６ｃを透過した後、ガラス板６ａの運転情報表示部１０，２９の位置に照射される。これにより、運転情報表示部１０，２９に所定の文字や記号が浮び上って見える。
【００４１】
検出部１４は、左冷蔵室扉２ａへの組み込み時には操作部９と対をなすものである。すなわち、図４に示すように、絶縁体であるガラス板６ａ及びシート部材１６を介して、操作部９に対向して検出部１４が裏側に重なるように設けられる。
【００４２】
なお、タッチセンサ素子を含む判定部は検出部１４がガラス板６ａとの間の静電容量の変化を検出して、自動制御部を介して負荷を動作させる。
【００４３】
即ち、静電容量に変化がある場合、当該静電容量の変化に応じて発振、振幅が変化する発振回路を含んでいる。これにより、判定部が出力するスイッチ信号、オン／オフ信号を取り出した自動制御部は、負荷を駆動させる。この操作部９の操作結果は、先の運転情報表示部１０，２９に表示させたり、操作部９そのものを点灯／消灯させたりすることにより、諸機能が設定されているか否かを判別可能とする。
る。
【００４４】
尚、単に操作部９近傍を使用者が通過したり、冷蔵庫本体１の前面（左冷蔵室扉２ａの前面）を使用者が掃除のために布等で拭いたりする動作によっては、判定部が出力するスイッチ信号、オン／オフ信号を出力しない構成としてある。これにより、誤動作を防止している。
【００４５】
冷蔵庫の扉前面板６を構成するガラス板６ａは絶縁体であり、且つ透光性の板材である。そして、ガラス板６ａ前面を操作部９とすべく、ガラス板６ａの操作部９の裏面から前面に向けてＬＥＤ２７ａが照射された際、印刷等で表されたシート部材１６の文字や記号等で操作部９の操作内容を表示している。操作部９に対向するガラス板６ａの裏面には、第一の基板１５上に設けられて判定部に繋がる検出部１４が、シート部材１６を介して近接するように設けられている。操作部９に併設して設けられる運転情報表示部１０，２９の文字や記号の表示は、第二の基板２０に設けられた照明手段であるＬＥＤ２７ｂが発光することで点灯表示される。
【００４６】
運転情報表示部１０，２９は、第二の基板２０上に設けたＬＥＤ２７ｂにより、裏面から照らされて表示される。操作部９に使用者の手や指が触れると、第一の基板１５上の検出部１４（スイッチ電極）が、ガラス板６ａとの間の静電容量の変化を感知して、第一の基板１５上の判定部に情報を入力する。そして、判定部が入力を検出すると、検出データに基づくデータを出力して、自動制御部を介して負荷を動作させる。ここで、自動制御部を介して動作される負荷とは、冷凍サイクルの運転、冷気循環ファン（図示せず）の運転、若しくは冷気供給量を制御するダンパーの開閉制御等である。これらの負荷を制御することにより、冷蔵室１ａや冷凍室１ｂの設定温度を変更したり、急冷蔵や急冷凍を設定したりすることができる。
【００４７】
第一の基板１５には、静電容量の変化を検出する検出部１４（スイッチ電極）を設け、判定部が静電容量の変化を判定した際には、第一の基板１５に備えたブザー等の報知手段（図示せず）が報知音を発する。これにより、使用者の操作が受け付けられたことを、使用者に対して音で認識させることができる。なお、制御内容の変化に伴い報知音に音階をつけることで、設定が切り替わっていることを使用者に直感的に把握させることができる。
【００４８】
次に、図３において、有色塗料層１９の裏面には、保護フィルム１９ａが貼られている。この保護フィルム１９ａは、ガラス板６ａに大きな衝撃が加えられてガラスが割れた場合や亀裂が入った場合であっても、周囲に飛び散らないよう保護している。また、扉正面側から発泡断熱材７が透視されることを防止して、外観を損なわないようにしている。なお、保護フィルム１９ａは、操作部９、運転情報表示部１０，２９の部分には貼られていない。換言すると、操作部９、運転情報表示部１０，２９の部分を囲むように保護フィルム１９ａをガラス板６ａに貼っている。これにより、検出部１４の検知感度を低下させないように構成している。また、ＬＥＤ２７ａ，２７ｂの光が透過するようにして、操作表示部１６ａ、セグメント表示部１６ｂ、１６ｃの表現する文字や記号等をガラス板６ａの表面に浮び上らせるように表示している。
【００４９】
また、操作部９、運転情報表示部１０，２９が従来の如く扉前面板６より突出していない。これにより、フラットな面で扉を構成でき、ガラスの材質を活かした意匠性の高い冷蔵庫とすることができる
次に、基板組品１２の構成について、図４〜図７を参照しながらさらに説明する。図５は、図４の基板組品のＢ−Ｂ断面図である。図６は、図４のＰ２部の拡大図である。図７は、図６のＣ−Ｃ断面図である。
【００５０】
まず、図４、図５において、基板組品１２は、シート部材１６、第一の基板１５、基板支持部材１７、第二の基板２０を含んで構成される。シート部材１６、第一の基板１５、基板支持部材１７、第二の基板２０は、ガラス板６ａ側から後方に向けて順に配置されている。
【００５１】
図５に示すように、基板支持部材１７は、前面に第一の基板１５を収納する第一の収納部２１、裏面に第二の基板２０を収納する第二の収納部２２を有している。第一の収納部２１は、前方から後方に突出した形状であり、第二の収納部２２は、後方から前方に突出した形状である。そして、第一の収納部２１に第一の基板１５を収納した場合、第二の収納部２２の前面に位置する基板支持部材１７の前面壁１７ｂは、第一の基板１５の前面と同一平面上又は所定のわずかな奥行き幅内に位置するよう構成されている。
【００５２】
第一の基板１５の少なくとも外周は、基板支持部材１７の第一の収納部２１外周に段差状に形成されたフランジ部１７ｃに載置されて位置規制される。第二の基板２０は、基板支持部材１７に形成されたボス部１７ｄにねじ２３等の締結手段によって固定される。
【００５３】
また、基板支持部材１７の前後方向の厚み寸法は、第一の基板１５、第二の基板２０にそれぞれ実装された電子部品２４、２５の高さ寸法を考慮した形状としている。すなわち、第一の収納部２１は、第一の基板１５に実装された電子部品２４の前方から後方への高さ寸法よりも、大きな前後方向の寸法としている。また、第二の収納部２２は、第二の基板２０に実装された電子部品２５の後方から前方への高さ寸法よりも、大きな前後方向の寸法としている。そして、基板支持部材１７全体の前後方向の寸法は、第一の基板１５、第二の基板２０にそれぞれ実装された電子部品２４、２５のうちで最も大きな実装部品と同等か、それよりもわずかに大きな寸法とする。これにより、基板組品１２として構成した場合、厚みが抑えられて、前面及び後面に電子部品が突出しないように平面に近い構成としている。従って、第一の基板１５、第二の基板２０の基板支持部材１７への組み込みが容易となり、基板組品１２を基板収納部材１８に組み込む際、扉前面板６との距離を容易に近づけることができる。
【００５４】
図４において、基板収納部材１８は基板組品１２を発泡断熱材７より隔離する役目を果たすと共に、第一の基板１５表面、具体的にはシート部材１６を扉前面板６であるガラス板６ａに密着若しくは近接させるガイドの機能を有する。また、基板収納部材１８は、基板組品１２を着脱自在に保持する役目を果たす。
【００５５】
具体的に、基板収納部材１８は、側部に挿入部１８ｄが形成されている。挿入部１８ｄは、左冷蔵室扉２ａの左側部に有するフレーム２ｃに連通するように配置される（図２ａ参照）。また、挿入部１８ｄは、基板組品１２を組み込んだ後、着脱可能な閉止部材２ｄで覆われている。これにより、挿入部１８ｄは、左冷蔵室扉２ａと右冷蔵室扉２ｂとの間に位置するため、扉を閉めた状態では、外観上視認しにくくして、意匠性を向上している。なお、挿入部１８ｄの位置は左冷蔵室扉２ａの左側部に限定されず、左冷蔵室扉２ａの上側部、下側部、右側部等に設けてもよいし、他の扉の側部に設けてもよい。
【００５６】
また、基板収納部材１８の上部及び下部、又はそのいずれか一方には、ガイド部１８ａを有する。ガイド部１８ａの終端部１８ｂは、前方側、すなわち扉前面板６側に近づく傾斜形状又は湾曲形状を有している。ガイド部１８ａの始端部１８ｃは、弾性的に変形可能な狭小部を有している。この構成において、基板組品１２が基板収納部材１８の挿入部１８ｄから挿入されると、基板組品１２の上部及び下部に設けた被ガイド部であるガイド突起１２ａが、始端部１８ｃの狭小部を押し広げてガイド部１８ａによってガイドされる。そして、所定の組み込み位置で扉前面板６側に基板組品１２が近づくようにガイドされる。これにより、基板組品１２を構成する検出部１４を、扉前面板６の操作部９の位置において検知可能な距離まで、扉前面板６裏面に近づけることができる。また、始端部１８ｃは基板組品１２のガイド突起１２ａが通過した後、元の狭小部を形成するように変形するので、基板組品１２が始端部１８ｃ側から脱落しないように保持される。
【００５７】
さらに、本実施例のガイド部１８ａは、終端部１８ｂに至るまでの位置において、基板組品１２が扉前面板６から離れた位置でガイドするようにしている。これにより、基板組品１２が扉前面板６に接触して損傷することを防止している。
【００５８】
なお、本実施例ではガイド部１８ａを基板収納部材１８の上部及び下部、又はそのいずれか一方に設けているが、これに限定されない。例えば、基板収納部材１８の背面にガイド部１８ａを設けてもよい。また、基板収納部材１８の背面形状を、挿入部１８ｄから所定距離の位置で前方に隆起した形状とすることで、扉前面板６側に基板組品１２を近接させる構成であってもよい。
【００５９】
また、挿入部１８ｄを覆う閉止部材２ｄに押え部を形成して、基板組品１２を基板収納部材１８に収納後、この押え部によって基板組品１２を後方から扉前面板６側に押して近づける構成であってもよい。
【００６０】
この基板収納部材１８を用いることにより、基板組品１２を基板収納部材１８に組込時、ガラス板６ａへの傷付きを防止できる。また、組み込み位置において基板組品１２をガラス板６ａへ近づけた状態で位置を保持することが容易となる。また、点検等のサービス時、基板組品１２の着脱でガラス板６ａや基板そのものが損傷することを防止しつつ、点検作業が容易に行える。
【００６１】
次に、照明手段について、図６，図７を用いて説明する。第二の基板２０上のＬＥＤ２７ｂ（照明手段）より照射された光は、基板支持部材１７の前面壁１７ｂに設けた開口１７ｅを介してガラス板６ａ側に誘導される。基板支持部材１７は、扉前面板６側に近接して組み込み可能としているので、開口１７ｅから照射されたＬＥＤ２７ｂの光を運転情報表示部１０，２９に効率良く表示できる。
【００６２】
図６に示すように、インジケータ表示部２９に対応する基板支持部材１７には、複数の開口１７ｅが区画形成されている。そして、複数の開口１７ｅに対応するように、ＬＥＤ２７ｂが第二の基板２０上に実装されている。開口１７ｅを形成する壁面２６の一部は、第二の収納部２２の前後方向の深さ寸法内で、ＬＥＤ２７ｂ側から前方に向かって開口面積を広げるように傾斜している。
【００６３】
具体的に、開口１７ｅは前方から見た場合、扇形状に形成されており、複数の扇形状を隣接させることで、円弧状に配列されている。換言すると、所定幅の円環状部の一部を分割して並べている。
【００６４】
尚、ＬＥＤ２７が照射する光が開口１７ｅを通過する際、壁面２６で図７の矢印に示すように、照射方向が反射して補正されることで、前方に照射されるように導かれる。具体的に、ＬＥＤ２７ｂは、開口１７ｅの一端寄りに配置している。本実施例では、扇形状の外周寄りに配置している。そして、ＬＥＤ２７ｂを配置した位置と反対の他端側の壁面２６は、ＬＥＤ２７ｂから前方に向けて広がるように傾斜を有する。本実施例では、扇形状の内周寄りの壁面２６が前方に向けて広がるように傾斜を有している。なお、その他の壁面は傾斜を有しておらず、前後方向に水平に近い状態で立ち上げた形状である。
【００６５】
この構成において、ＬＥＤ２７ｂから照射された光の進行方向を、図７に矢印ａ，ｂ，ｃで代表して表示している。
【００６６】
まず、矢印ａは、ＬＥＤ２７ｂから直進する光である。矢印ａの光は、遮られることなくシート部材１６に達して、その後ガラス板６ｂの前面まで透過する。
【００６７】
矢印ｂは、ＬＥＤ２７ｂの一般的な照射角である１２０度の下部照射位置の光である。矢印ｂの光は、傾斜した壁面２６に達した後、偏向して前方に進むようになる。
【００６８】
矢印ｃは、ＬＥＤ２７ｂの照射角である１２０度の上部照射位置の光である。矢印ｃの光は、水平又は水平に近い上壁面で反射した後、傾斜した下部の壁面２６に達し、再び偏向されて前方に進むようになる。
【００６９】
このように、ＬＥＤ２７ｂから照射された光は、開口１７ｅの何れの位置でもなるべく前方に向かって進むように構成されている。換言すると、ＬＥＤ２７ｂの前方投影位置では、反射しない光が直接ガラス板６ａの前方まで矢印ａのように進む。ＬＥＤ２７ｂの前方投影位置から外れた周囲では、開口１７ｅを形成する壁面２６で光を反射させて、矢印ｂのように前方に進む。換言すると、壁面２６は、壁面２６表面に入射した光が扉前面板６の裏面にほぼ垂直に入射するように反射させる傾斜部を有する。
【００７０】
これにより、本実施例のように、比較的大きな表示部（開口１７ｅに対向するセグメント表示部１６ｃ、インジケータ表示部２９）を照射する構成の場合であっても、少なくともシート部材１６を通過する際の光は、点灯させる表示部の範囲に亘って均一に前方に向かって照射されて、明るさの斑が抑えられた、視認性の高い点灯表示が実現できる。
【００７１】
なお、矢印ｃの光は、壁面２６の前端付近で前方に偏向されるようにすることで、表示したい対象の端部が強調されるように点灯して、縁取りが明確になる。
【００７２】
また、開口１７ｅを形成する壁面２６の一方端は、第一の基板２０に当接若しくは近接している。そして、壁面２６の他方端は、第二の収納部２２の前面壁１７ｂ（基板支持部材１７の表面部１７ａ）に至り、シート部材１６に当接若しくは近接している。
【００７３】
換言すると、開口１７ｅを形成する壁部２６は、ＬＥＤ２７ｂより照射された光を、図７の矢印に示すように、照射方向を前方に補正して集光することで、シート部材１６を介して扉前面板６のインジケータ表示部２９を斑なく照射することができる。
【００７４】
また、開口１７ｅを形成する壁面を反射率の高い色調や材料で形成することにより、光が偏向しやすくなり、さらに鮮明に前方に照射することができる。
【００７５】
このように、ＬＥＤ２７ｂより照射される光を前方に導くように構成することにより、扉前面板６側においては、インジケータ表示部２９の縁取りがぼやけずはっきりとして、視認性が向上する。
【００７６】
例えば、使用者が省電力運転を設定すると、冷蔵庫の圧縮機の回転数が、一例として２１００ｒｐｍ以下〜３３００ｒｐｍの範囲で表示され、使用者は現在運転中の圧縮機の回転数を、感覚的に把握することができる。
【００７７】
次に、図８を用いて、基板の高周波ノイズ対策構造について説明する。図８は、図１に示す冷蔵庫の基板操作を模式的に表した図である。
【００７８】
図８において、１４は、第一の基板１５上にガラス板６ａに近接して設けられているスイッチ電極（検出部）である。３１は、ノイズ保護用抵抗である。３２は、テスト用端子であり、基板の管理上の理由から設けている。３３は、タッチセンサ素子である。第一の基板１５上には、スイッチ電極１４、ノイズ保護用抵抗３１、テスト端子３２、及びタッチセンサ素子３３が組み込まれている。
【００７９】
テスト端子３２は、制御基板１５への電子部品実装後、テスター等の機器を用いて、各電子部品の誤実装や誤配線を確認するために使用される。
【００８０】
ノイズ保護用抵抗３１は、テスト端子３２とスイッチ電極１４の間の位置に設けられている。また、タッチセンサ素子３３とノイズ保護用抵抗３１のいずれからも離れた位置にテスト端子３２を設けることで、制御基板１５の点検の際の作業性がよく、制御基板１５や実装部品の損傷を低減することができる。
【００８１】
３５はパターンシールドで、第一の基板１５の裏面に設けられている。３４は、使用者の指を模式的に表わしている。パターンシールド３５を設けるのは、アース同様、複数のグランド抵抗間で電位差が生じるのを防止するためである。
【００８２】
パターンシールド３５は、ノイズ保護用抵抗３１、テスト端子３２、及びタッチセンサ素子３３を含む第一の基板１５裏面に設けている。また、スイッチ電極１４とノイズ保護用抵抗３１との間は、パターンシールド３５を設けていない。
【００８３】
ここで、一般的なスイッチ電極１４は、扉前面板６となるガラス板６ａに近接して設けられる関係上、ノイズ保護用抵抗３１から所定距離の位置に設けられている。また、スイッチ電極１４はガラス板６ａ側に設けられた操作部に対向した近傍位置に設けられているため、タッチセンサ素子３３を含む電子部品とは離れた位置となる。
【００８４】
本実施例では、離れた位置にあるスイッチ電極１４とノイズ保護用抵抗３１との間の配線部分には、パターンシールド３５を設けていない。これにより、スイッチ電極１４とパターンシールド３５との間に寄生容量（コンデンサ）が発生しないようにしている。
【００８５】
使用者の指３４がガラス板６ａの表面に触れると、第一の基板１５上のスイッチ電極１４の静電容量が変化する。この変化をタッチセンサ素子３３が検出し、操作部９を動作させる。
【００８６】
上記構成の制御基板１５において、高周波ノイズ対策としてパターンシールド３５をノイズ保護用抵抗３１まで施し、スイッチ電極１４とノイズ保護用抵抗３１間にはパターンシールド３５を設けないようにし、寄生容量（コンデンサー）の発生を防止する。これにより、タッチセンサ素子に与えるノイズ等の影響を低減することができ、信号ノイズや信号遅れを抑制することができる。
【００８７】
尚、スイッチ電極１４とノイズ保護用抵抗３１の位置が近い場合、パターンシールド３５をノイズ保護用抵抗３１の一部まで設けて、スイッチ電極１４とノイズ保護用抵抗３１との間にパターンシールド３５を配置しないようにした構成であってもよい。
【００８８】
換言すると、タッチセンサ素子３３、テスト端子３２、ノイズ保護用抵抗３１、スイッチ電極１４の順に制御基板１５上に設けられて、タッチセンサ素子３３からノイズ保護用抵抗３１の一部を含む範囲内でパターンシールド３５を設ける。
【００８９】
本発明は以上説明した如き構成を有するものであるから、次の効果が得られるものである。
【００９０】
すなわち、冷蔵庫本体の貯蔵室と、前記貯蔵室の貯蔵室扉と、前記貯蔵室扉の前方の透光性を有する扉前面板と、前記扉前面板の後方の制御基板と、を備え、前記制御基板は、前記扉前面板の後面に接触又は近接して設けられたスイッチ電極と、前記スイッチ電極の静電容量の変化を検出するタッチセンサ素子と、前記タッチセンサ素子と前記スイッチ電極の間にノイズ保護用抵抗と、を備え、前記タッチセンサ素子から前記ノイズ保護用抵抗の一部を含む範囲内で前記制御基板にパターンシールドを設ける。
【００９１】
これにより、タッチセンサ素子に与えるノイズ等の影響を低減することができ、信号ノイズや信号遅れを抑制することができる。
【００９２】
また、タッチセンサ素子とノイズ保護用抵抗との間にテスト端子を備え、該テスト端子を含む前記タッチセンサ素子から前記ノイズ保護用抵抗の一部を含む範囲内で前記パターンシールドを設ける。
【００９３】
これにより、タッチセンサ素子とノイズ保護用抵抗間より離れた位置に設けられるテスト端子を使って制御基板を点検することができるので、作業性が向上するとともに、基板や実装部品の損傷を防止することができる。
【００９４】
また、制御基板１５表面にスイッチ電極１４、制御基板１５裏面にタッチセンサ素子３３、テスト端子３２、ノイズ保護用抵抗３１を設ける。
【００９５】
これにより、制御基板の配線パターンを集約して小型化できるとともに、制御基板を組み込むための空間体積を低減できることから、貯蔵室扉の断熱材厚さを十分確保することができる。
【符号の説明】
【００９６】
１  冷蔵庫本体
１ａ  冷蔵室（貯蔵室）
１ｂ  冷凍室
２ａ  左冷蔵室扉（貯蔵室扉）
２ｃ  扉枠
４  冷凍室扉
６  扉前面板
６ａ  ガラス板
７  発泡断熱材
８  扉内板
９  操作部
１０  運転情報表示部
１２  基板組品
１２ａ  被ガイド部（ガイド突起）
１４  検出部（スイッチ電極）
１５  第一の基板（制御基板）
１６  シート部材
１６ａ  操作表示部
１６ｂ  セグメント表示部
１６ｃ  セグメント表示部
１７  基板支持部材
１７ａ  表面部
１７ｂ  前面壁
１７ｃ  フランジ部
１７ｄ  ボス部
１７ｅ  開口
１８  基板収納部材
１８ａ  ガイド部
１８ｂ  終端部
１８ｃ  始端部
１８ｄ  挿入部
１９  有色塗料層
１９ａ  保護フィルム
２０  第二の基板
２１  第一の収納部
２２  第二の収納部
２３  ねじ（締結手段）
２４  電子部品
２５  電子部品
２６  壁面
２７ａ  照明手段（ＬＥＤ）
２７ｂ  照明手段（ＬＥＤ）
２９  運転情報表示部（インジケータ表示部）
３０  導光部材
３１  ノイズ保護用抵抗
３２  テスト用端子
３３  タッチセンサ素子
３５  パターンシールド
【図１】
2014137147.tif 000003
【図２ａ】
2014137147.tif 000004
【図２ｂ】
2014137147.tif 000005
【図３】
2014137147.tif 000006
【図４】
2014137147.tif 000007
【図５】
2014137147.tif 000008
【図６】
2014137147.tif 000009
【図７】
2014137147.tif 000010
【図８】
2014137147.tif 000011